(57)【要約】【課題】端子カバー取り付け時の感電等の災害を防止し、また作業性を高める。【解決手段】電力量計１００Ａの充電部の端子が配置された端子部１０２に、取付用ピン１０７を植立する。取付用ピン１０７の先端側は先割れ状態とされていると共に、この先端側には係止爪１０７ｃが形成されている。端子カバー１０６には、取付用ピン１０７を通すための貫通穴１０６ａが設けられている。端子カバー１０６の貫通穴１０６ａに端子部１０６に植立された取付用ピン１０７を通すことで、端子カバー１０６を端子部１０２に取り付ける。貫通穴１０６ａに取付用ピン１０７を通す際、この取付用ピン１０７の先端側をすぼめた状態とする。貫通穴１０６ａに取付用ピン１０７を通した後、端子カバー１０６は、取付用ピン１０７の係止爪１０７ｃにより係止された状態となる。【選択図】図２
2008111679.tif 000002
【特許請求の範囲】
【請求項１】
電気機器の充電部の端子が配置された端子部に、該充電部の端子を覆うように取り付けられる端子カバーの取り付け構造であって、
上記端子部に取付用ピンを植立し、
上記端子カバーに上記取付用ピンを通すための貫通穴を設け、
上記端子カバーに設けられた貫通穴に上記端子部に植立された取付用ピンを通して、上記端子カバーを上記端子部に取り付ける
ことを特徴とする端子カバーの取付構造。
【請求項２】
上記端子部の上記取付用ピンが植立される部位にはねじ穴が設けられており、
上記取付用ピンの少なくとも一端はねじ部とされており、
上記取付用ピンは、上記ネジ部を上記ねじ穴にねじ込むことで、上記端子部に植立される
ことを特徴とする請求項１に記載の端子カバーの取付構造。
【請求項３】
上記取付用ピンの先端側はスリットが形成された先割れ状態とされていると共に、該先端側には径が大きくされた係止爪が形成されており、
上記端子カバーの貫通穴に上記取付用ピンを通す際に、該取付用ピンの先端側がすぼめた状態とされ、
上記端子カバーの貫通穴に上記取付用ピンを通した後に、該端子カバーが上記取付用ピンの係止爪により係止される
ことを特徴とする請求項１に記載の端子カバーの取付構造。
【請求項４】
上記取付用ピンの先端側に周方向に係合溝が形成されており、
上記端子カバーの貫通穴に上記取付用ピンを通した後に、該取付用ピンの先端側に上記係合溝に係合する係合爪を有する固定キャップを取り付けることで、上記端子カバーを上記端子部に固定する
ことを特徴とする請求項１に記載の端子カバーの取付構造。
【請求項５】
上記取付用ピンの先端側はねじ部とされており、
上記端子カバーの貫通穴に上記取付用ピンを通した後に、該取付用ピンの先端側に、該取付用ピンの先端側に螺合するネジ穴を有する固定キャップを取り付けることで、上記端子カバーを上記端子部に固定する
ことを特徴とする請求項１に記載の端子カバーの取付構造。
【発明の詳細な説明】
【技術分野】
【０００１】
この発明は、電気機器の充電部の端子が配置された端子部を覆う端子カバーの取付構造に関する。
【背景技術】
【０００２】
一般家庭や事業所には、電力使用量を計測する目的で、電力量計が設置されている。この電力量計は、電力使用量を正確に計測して公正な料金取引を行う必要から、一定期間毎に新しいものと交換されている。図１４〜図１７は、従来の誘導型の電力量計（積算電力計）２００の構成を示している。
【０００３】
電力量計２００は、本体部２０１と、端子部２０２とを備えている。本体部２０１は、電力量を計測して表示する。本体部２０１の前面側は透明な保護ガラス２０３で覆われている。ユーザは、保護ガラス２０３を通して、本体部２０１を構成するアルミニウム製の円盤２０４、文字盤２０５等を見ることができる。
【０００４】
端子部２０２は、商用電源と負荷装置との間の電線の途中に上述の本体部２０１が挿入されるように、入力電線（電源側の電線）および出力電線（負荷側の電線）を接続する。端子部２０２には端子カバー２０６が取り付けられている。端子カバー２０６は、締め付けねじ２０７を用いて、端子部２０２に取り付けられる。例えば、端子カバー２０６は金属板で形成されるが、端子部２０２の各端子に対向する面にはゴム素材が貼着されて絶縁性が確保されている。
【０００５】
端子部２０２から端子カバー２０６を取り外すことで、図１６に示すように、端子部２０２に配置された充電部の端子が露出した状態となる。充電部の端子としては、商用電源からの入力電線を本体部２０１に接続する入力端子２１１〜２１３と、負荷装置への出力電線を本体部２０１に接続する出力端子２１５〜２１７が存在している。また、端子部２０２には、締め付けねじ２０７を螺合するためのねじ穴２１０が設けられている。
【０００６】
この電力量計２００を電線に接続する際には、上述したように端子部２０２を覆っている端子カバー２０６が取り外され（図１６、図１７）、その状態で、入力電線および出力電線が対応する端子に接続され、その後に、端子カバー２０６が端子部２０２に取り付けられる（図１４、図１５）。この場合、締め付けねじ２０７のねじ部が、端子カバー２０６に設けられた貫通穴（図示せず）を通され、端子部２０２に設けられているねじ穴２１０に螺合される。
【０００７】
なお、端子部２０２に端子カバー２０６が取り付けられた後、この端子カバー２０６の切り起こし部２０８と、締め付けねじ２０７に設けられている封印用穴２０９とにワイヤを通して鉛などで封印することで、電力量計２００の配線変更等を不可能とすることが行われる。
【０００８】
例えば、特許文献１には、上述の電力量計２００と同様に、締め付けねじを用いて端子カバーを端子部に取り付けるようにした電力量計が記載されている。
【特許文献１】特開２００４−２２６１１９号公報
【発明の開示】
【発明が解決しようとする課題】
【０００９】
上述の電力量計２００のように、締め付けねじ２０７を用いて端子カバー２０６を端子部２０２に固定するものにあっては、端子部２０２に端子カバー２０６を取り付ける際に、端子部２０２のねじ穴２１０が作業者に見えにくいことから、作業者が締め付けねじ２０７を誤って端子２１１〜２１３，２１５〜２１７に接触させ、短絡、地絡、感電などの災害が発生することがあり、また、作業性もがよくないという問題があった。
【００１０】
この発明の目的は、端子カバー取り付け時の短絡、地絡、感電等の災害を防止し、また作業性を高めることにある。
【課題を解決するための手段】
【００１１】
この発明の概念は、
電気機器の充電部の端子が配置された端子部に、該充電部の端子を覆うように取り付けられる端子カバーの取り付け構造であって、
上記端子部に取付用ピンを植立し、
上記端子カバーに上記取付用ピンを通すための貫通穴を設け、
上記端子カバーに設けられた貫通穴に上記端子部に植立された取付用ピンを通して、上記端子カバーを上記端子部に取り付ける
ことを特徴とする端子カバーの取付構造にある。
【００１２】
この発明においては、電気機器の充電部の端子が配置された端子部に、端子カバーを取り付けるための取付用ピンが植立される。例えば、端子部の取付用ピンが植立される部位にはねじ穴が設けられていると共に、取付用ピンの少なくとも一端はねじ部とされており、取付用ピンは、ネジ部をねじ穴にねじ込むことで、端子部に植立される。この場合、従来の締め付けねじを螺合するために端子部に設けられていたねじ穴を利用して、当該端子部に取付用ピンを植立できる。
【００１３】
端子カバーには、取付用ピンを通すための貫通穴が設けられる。この貫通穴としては、従来の締め付けねじのねじ部を通すために設けられている貫通穴を使用できる。そして、端子カバーに設けられた貫通穴に端子部に植立された取付用ピンが通されて、端子カバーが端子部に取り付けられる。
【００１４】
例えば、取付用ピンの先端側はスリットが形成された先割れ状態とされていると共に、この先端側には径が大きくされた係止爪が形成されている。端子カバーの貫通穴に取付用ピンを通す際に、この取付用ピンの先端側がすぼめた状態とされ、端子カバーの貫通穴に取付用ピンを通した後に、この端子カバーが取付用ピンの係止爪により係止される。この場合、端子カバーに設けられた貫通穴に端子部に植立された取付用ピンを通すという作業だけで、端子カバーを端子部に取り付けることができる。
【００１５】
また、例えば、取付用ピンの先端側に周方向に係合溝が形成されている。端子カバーの貫通穴に取付用ピンを通した後に、この取付用ピンの先端側に係合溝に係合する係合爪を有する固定キャップが取り付けられることで、端子カバーが端子部に固定される。この場合、端子カバーに設けられた貫通穴に端子部に植立された取付用ピンを通すという作業の他に、取付用ピンの先端側に固定キャップを取り付けるという作業が必要になるが、取付用ピンの構造を簡単にできる。
【００１６】
また、例えば、取付用ピンの先端側はねじ部とされている。端子カバーの貫通穴に取付用ピンを通した後に、この取付用ピンの先端側に、取付用ピンの先端側に螺合されるネジ穴を有する固定キャップが取り付けられることで、端子カバーが端子部に固定される。この場合、端子カバーに設けられた貫通穴に端子部に植立された取付用ピンを通すという作業の他に、取付用ピンの先端側に固定キャップを取り付けるという作業が必要になるが、取付用ピンの構造を簡単にできる。
【００１７】
この発明においては、端子部に予め植立されている取付用ピンを端子カバーに設けられている貫通穴を通すことで、端子カバーを端子部に取り付けるものである。作業者は、端子カバーを端子部に取り付ける際に、端子カバーに設けられている貫通穴を通して、端子部に植立されている取付用ピンを確認できることから、貫通穴に取付用ピンを通すという作業を容易に行うことができ、従って、端子カバーを端子部に取り付ける際の作業性を高めることができる、また、この発明においては、端子カバーを端子部に取り付ける際に、従来のように締め付けねじを用いるものではなく、当該締め付けねじが端子部の充電部の端子に誤って接触するというようなことがなく、短絡、地絡、感電等の災害を防止できる。
【発明の効果】
【００１８】
この発明によれば、端子カバー取り付け時の短絡、地絡、感電等の災害を防止し、また作業性を高めることができる。
【発明を実施するための最良の形態】
【００１９】
第１の実施の形態について説明する。図１、図２は、第１の実施の形態としての誘導型の電力量計（積算電力計）１００Ａの構成を示している。
【００２０】
電力量計１００Ａは、本体部１０１と、端子部１０２とを備えている。本体部１０１は、電力量を計測して表示する。本体部１０１の前面側は透明な保護ガラス１０３で覆われている。ユーザは、保護ガラス１０３を通して、本体部１０１を構成するアルミニウム製の円盤１０４、文字盤１０５等を見ることができる。
【００２１】
端子部１０２は、商用電源と負荷装置との間の電線の途中に上述の本体部１０１が挿入されるように、入力電線（電源側の電線）および出力電線（負荷側の電線）を接続する。端子部１０２には端子カバー１０６が取り付けられている。端子カバー１０６は、取付用ピン１０７を用いて、端子部１０２に固定されている。
【００２２】
端子部１０２から端子カバー１０６を取り外すことで、図２に示すように、端子部１０２に配置された充電部の端子が露出した状態となる。充電部の端子としては、商用電源からの入力電線を本体部１０１に接続する入力端子１１１〜１１３と、負荷装置への出力電線を本体部１０１に接続する出力端子１１５〜１１７が存在している。また、端子部１０２には、上述の取付用ピン１０７が植立される部位に、ねじ穴１１０が設けられている。このねじ穴１１０としては、従来の電力量計２００における締め付けねじ２０７を螺合するためのねじ穴２１０（図１６参照）を使用できる。
【００２３】
図３は、取付用ピン１０７の構成を示している。図３（Ａ）は取付用ピン１０７の斜視図であり、図３（Ｂ）は取付用ピン１０７の側面図である。この取付用ピン１０７は、弾性のある金属あるいは合成樹脂で形成される。取付用ピン１０７の一端である基端側はねじが切られたねじ部１０７ａとされている。取付用ピン１０７は、ネジ部１０７ａが端子部１０２のねじ穴１１０にねじ込まれることで、端子部１０２に植立される。
【００２４】
取付用ピン１０７の先端側は、スリット１０７ｂが形成された先割れ状態とされている。また、この取付用ピン１０７の先端側には、径が大きくされた係止爪１０７ｃが形成されている。取付用ピン１０７の先端側を、このように先割れ状態とするのは、端子カバー１０６を端子部１０２に取り付ける際に、当該取付用ピン１０７の先端側を、後述する端子カバー１０６の貫通穴を、すぼめた状態で通すためである。なお、取付用ピン１０７の先端側には、封印用穴１０９も設けられている。
【００２５】
端子カバー１０６は、金属あるいは合成樹脂で形成される。端子カバー１０６が金属で形成される場合には、端子部１０２の各端子に対向する面にゴム素材が貼着され、絶縁性が確保される。この端子カバー１０６には、取付用ピン１０７を通すための貫通穴１０６ａが設けられている。この貫通穴１０６ａとしては、従来の端子カバー２０６に設けられている締め付けねじのねじ部を通すための貫通穴を使用できる。
【００２６】
ただし、上述したように、取付用ピン１０７の先端をすぼめた状態では、当該先端の断面形状はほぼ楕円形状となるため、貫通穴１０６ａの形状を、例えば、すぼめた状態の取付用ピン１０７の先端が通過可能な楕円形状、あるいは長方形状に形成する必要がある。なお、図示しないが、取付用ピン１０７の先端側に形成されるスリット１０７ｂを断面十字形状として、当該先端側が４つに割られた先割れ状態とすれば、先端をすぼめた状態における当該先端の断面形状はほぼ円形状となるため、貫通穴１０６ａの形状を円形状に形成でき、取付用ピン１０７の、端子部１０２への植立時における回転位置を気にしないでも済むようになる。
【００２７】
図１、図２に戻って、また、端子カバー１０６には、封印時にワイヤを通すための、切り起こし部１０８が形成されている。
【００２８】
図１、図２に示す電力量計１００Ａを電線に接続する際には、上述したように端子部１０２を覆っている端子カバー１０６が取り外され（図２）、その状態で、入力電線および出力電線が対応する端子に接続され、その後に、端子カバー１０６が端子部１０２に取り付けられる（図１）。
【００２９】
図４（Ａ）〜（Ｄ）を用いて、電力量計１００Ａにおける端子カバー１０６の取り付けについて説明する。端子カバー１０６を端子部１０２に取り付ける際には、図４（Ａ）に示すように、取付用ピン１０７が使用される。この取付用ピン１０７は、ねじ部１０７ａが端子部１０２のねじ穴１１０にねじ込まれることで、図４（Ｂ）に示すように、端子部１０２に植立された状態に置かれる。
【００３０】
端子カバー１０６を端子部１０２に取り付ける際には、図４（Ｃ）に示すように、取付用ピン１０７の先端側をすぼめた状態として端子カバー１０６の貫通穴１０６ａを通していく。そして、最終的に、図４（Ｄ）に示すように、端子カバー１０６が取付用ピン１０６の係止爪１０７ｃで係止された状態とする。貫通穴１０６ａを通っている間はすぼめられている取付用ピン１０６の係止爪１０７ｃは、貫通穴１０６ａを通った後は、弾性によって元の状態に復帰し、上述したように、端子カバー１０６を係止可能な状態となる。
【００３１】
なお、上述したように端子部１０２に端子カバー１０６が取り付けられた後、図４（Ｄ）に示すように、この端子カバー１０６の切り起こし部１０８と、取付用ピン１０７の係止爪１０７ｃに設けられている封印用穴１０９とにワイヤを通して鉛などで封印することで、電力量計１００Ａの配線変更等を不可能とすることが行われる。
【００３２】
また、端子部１０２に取り付けられた端子カバー１０６を取り外す際には、封印を解いた後、上述した取り付け時とは逆に、取付用ピン１０７の係止爪１０７ｃをすぼめた状態として端子カバー１０６を取り外す。
【００３３】
図１、図２に示す電力量計１００Ａにおいては、端子部１０２に予め植立されている取付用ピン１０７を端子カバー１０６に設けられている貫通穴１０６ａを通すことで、端子カバー１０６を端子部１０２に取り付けるものである。作業者は、端子カバー１０６を端子部１０２に取り付ける際に、端子カバー１０６に設けられている貫通穴１０６ａを通して、端子部１０２に植立されている取付用ピン１０７を確認できることから、貫通穴１０６ａに取付用ピン１０７を通すという作業を容易に行うことができ、従って、端子カバー１０６を端子部１０２に取り付ける際の作業性を高めることができる、
【００３４】
また、図１、図２に示す電力量計１００Ａにおいては、端子カバー１０６を端子部１０２に取り付ける際に、従来のように締め付けねじを用いるものではなく、当該締め付けねじが端子部１０２の充電部の端子１１１〜１１３，１１５〜１１７に誤って接触するというようなことがなく、短絡、地絡、感電等の災害を防止できる。
【００３５】
また、図１、図２に示す電力量計１００Ａにおいては、端子カバー１０６に設けられた貫通穴１０６ａに端子部１０２に植立された取付用ピン１０７を通すという作業だけで、端子カバー１０６を端子部１０２に取り付けることができ、作業を効率よく行うことができる。
【００３６】
次に、第２の実施の形態について説明する。図５、図６は、第２の実施の形態としての誘導型の電力量計（積算電力計）１００Ｂの構成を示している。この図５、図６において、図１、図２と対応する部分には同一符号を付し、適宜、その詳細説明を省略する。
【００３７】
電力量計１００Ｂは、本体部１０１と、端子部１０２とを備えている。本体部１０１は、電力量を計測して表示する。端子部１０２は、商用電源と負荷装置との間の電線の途中に上述の本体部１０１が挿入されるように、入力電線（電源側の電線）および出力電線（負荷側の電線）を接続する。端子部１０２には端子カバー１０６が取り付けられている。端子カバー１０６は、取付用ピン１２１および固定キャップ１２２を用いて、端子部１０２に固定されている。
【００３８】
端子部１０２から端子カバー１０６を取り外すことで、図６に示すように、端子部１０２に配置された充電部の端子（入力端子１１１〜１１３、出力端子１１５〜１１７）が露出した状態となる。また、端子部１０２には、上述の取付用ピン１２１が植立される部位に、ねじ穴１１０が設けられている。
【００３９】
図７は、取付用ピン１２１の構成を示している。図７（Ａ）は取付用ピン１２１の斜視図であり、図７（Ｂ）は取付用ピン１２１の側面図である。この取付用ピン１２１は、金属あるいは合成樹脂で形成される。取付用ピン１２１の一端である基端側はねじが切られたねじ部１２１ａとされている。取付用ピン１２１は、ネジ部１２１ａが端子部１０２のねじ穴１１０にねじ込まれることで、端子部１０２に植立される。取付用ピン１２１の先端側には、周方向に、後述する固定キャップ１２２の係合爪１３２が係合される係合溝１２１ｂが形成されている。
【００４０】
端子カバー１０６は、金属あるいは合成樹脂で形成される。端子カバー１０６が金属で形成される場合には、端子部１０２の各端子に対向する面にゴム素材が貼着され、絶縁性が確保される。この端子カバー１０６には、取付用ピン１２１を通すための貫通穴１０６ａが設けられている。この端子カバー１０６には、封印時にワイヤを通すための、切り起こし部１０８も形成されている。
【００４１】
図８（Ａ）は、固定キャップ１２２の構成を示している。固定キャップ１２２は、内部が空洞とされた円錐台形状の筐体１３１の内部に、係合爪１３２を有する係合機構が配置された構成となっている。筐体１３１の下面（端子カバー１０６への当接面）の中央には円形の開口部１３３が設けられ、この開口部１３３に取付用ピン１２１の案内部を構成する円筒部材１３４が下面と垂直となるように固定されている。なお、筐体１３１の下面外部には、ゴム素材１３０が貼着され、絶縁性が確保されている。また、筐体１３１には、封印用穴１４５が設けられている。
【００４２】
また、筐体１３１の内部には、一端が上面に接続され、他端が下面に接続された、支持竿１３５が設置されている。この支持竿１３５の中央付近に、この支持竿１３５と直交する方向に伸びる支持片１３６の一端が固定されている。この支持片１３６の他端に、作用竿１３７の中央付近が回動自在に軸支されている。この作用竿１３７の一端側に内側方向に伸びるように係合爪１３２が形成されていると共に、この係合爪１３２とは逆の方向に伸びるようにコイルバネ１３９を保持するバネ保持部１３８が形成されている。
【００４３】
バネ保持部１３８の先端は支持竿１３５に設けられた貫通穴（図示せず）を通って支持竿１３５の反対側に突出するようにされ、その先端に抜け止め片１４０が接続されている。コイルバネ１３９は、作用竿１３７を反時計方向に回転させるように、当該作用竿１３７を常に付勢している。
【００４４】
また、作用竿１３７の他端には、支持竿１３５に設けられた貫通穴（図示せず）を通って外側に伸びる押圧棒１４１の一端が当接されている。この押圧棒１４１の他端には、筐体１３１の外周面に設けられた開口部１４２から一部が突出するように配設された操作釦１４３が接続されている。なお、押圧棒１４１の支持竿１３５と作用竿１３７との間には、当該押圧棒１４１の抜けを防止するための抜け止め片１５３が取り付けられている。
【００４５】
図８（Ａ）に示す固定キャップ１２２においては、筐体１３１の下面の円筒部材１３４の入り口に取付用ピン１２１の先端を位置させて押し込むことで、図８（Ｂ）に示すように、作用竿１３７の係合爪１３２が、取付用ピン１２１の先端側に形成された係合溝１２１ｂに係合された状態とでき、その状態はコイルバネ１３９の付勢力により保持される。
【００４６】
なお、固定キャップ１２２の取り外しは、図８（Ｃ）に矢印で示すように、操作釦１４３を内側に押圧し、コイルバネ１３９の付勢力に逆らって作用竿１３７を時計方向に回動させ、取付用ピン１２１の係合溝１２１ｂへの係合爪１３２の係合状態を解除した状態で行われる。
【００４７】
図５、図６に示す電力量計１００Ｂを電線に接続する際には、上述したように端子部１０２を覆っている端子カバー１０６が取り外され（図６）、その状態で、入力電線および出力電線が対応する端子に接続され、その後に、端子カバー１０６が端子部１０２に取り付けられる（図５）。
【００４８】
図９（Ａ)〜（Ｄ）を用いて、電力量計１００Ｂにおける端子カバー１０６の取り付けについて説明する。端子カバー１０６を端子部１０２に取り付ける際には、図９（Ａ）に示すように、取付用ピン１２１および固定キャップ１２２が使用される。この取付用ピン１２１は、ねじ部１２１ａが端子部１０２のねじ穴１１０にねじ込まれることで、図９（Ｂ）に示すように、端子部１０２に植立された状態に置かれる。
【００４９】
端子カバー１０６を端子部１０２に取り付ける際には、図９（Ｃ）に示すように、端子カバー１０６の貫通穴１０６ａに取付用ピン１２１を通し、その後に、図９（Ｄ）に示すように、取付用ピン１２１の先端側に固定キャップ１２２を取り付ける。この状態で、固定キャップ１２２が有する係合爪１３２が取付用ピン１２１の先端側に形成されている係合溝１２１ｂに係合され（図８（Ｂ））、端子カバー１０６は端子部１０２に固定される。
【００５０】
なお、上述したように端子部１０２に端子カバー１０６が取り付けられた後、図示しないが、この端子カバー１０６の切り起こし部１０８と、固定キャップ１２２に設けられている封印用穴１４５とにワイヤを通して鉛などで封印することで、電力量計１００Ｂの配線変更等を不可能とすることが行われる。
【００５１】
また、端子部１０２に取り付けられた端子カバー１０６を取り外す際には、封印を解いた後、上述した取り付け時とは逆に、取付用ピン１２１から固定キャップ１２２を取り外し（図８（Ｃ））、その後に端子カバー１０６を取付用ピン１２１から抜き取ればよい。
【００５２】
図５、図６に示す電力量計１００Ｂにおいては、端子部１０２に植立されている取付用ピン１２１を端子カバー１０６に設けられている貫通穴１０６ａを通し、その後に、取付用ピン１２１の先端側に固定キャップ１２２を取り付けることで、端子カバー１０６を端子部１０２に取り付けるものである。作業者は、端子カバー１０６を端子部１０２に取り付ける際に、端子カバー１０６に設けられている貫通穴１０６ａを通して、端子部１０２に植立されている取付用ピン１２１を確認できることから、貫通穴１０６ａに取付用ピン１２１を通すという作業を容易に行うことができ、従って、端子カバー１０６を端子部１０２に取り付ける際の作業性を高めることができる、
【００５３】
また、図５、図６に示す電力量計１００Ｂにおいては、端子カバー１０６を端子部１０２に取り付ける際に、従来のように締め付けねじを用いるものではなく、当該締め付けねじが端子部１０２の充電部の端子１１１〜１１３，１１５〜１１７に誤って接触するというようなことがなく、短絡、地絡、感電等の災害を防止できる。
【００５４】
また、図５、図６に示す電力量計１００Ｂにおいては、端子カバー１０６に設けられた貫通穴１０６ａに端子部１０２に植立された取付用ピン１２１を通すという作業の他に、取付用ピン１２１の先端側に固定キャップ１２２を取り付けるという作業が必要になるが、図１、図２に示す電力量計１００Ａと比べて、取付用ピンの構造を簡単にできる。
【００５５】
次に、第３の実施の形態について説明する。図１０、図１１は、第３の実施の形態としての誘導型の電力量計（積算電力計）１００Ｃの構成を示している。この図１０、図１１において、図１、図２と対応する部分には同一符号を付し、適宜、その詳細説明を省略する。
【００５６】
電力量計１００Ｃは、本体部１０１と、端子部１０２とを備えている。本体部１０１は、電力量を計測して表示する。端子部１０２は、商用電源と負荷装置との間の電線の途中に上述の本体部１０１が挿入されるように、入力電線（電源側の電線）および出力電線（負荷側の電線）を接続する。端子部１０２には端子カバー１０６が取り付けられている。端子カバー１０６は、取付用ピン１５１および固定キャップ１５２を用いて、端子部１０２に固定されている。
【００５７】
端子部１０２から端子カバー１０６を取り外すことで、図１１に示すように、端子部１０２に配置された充電部の端子（入力端子１１１〜１１３、出力端子１１５〜１１７）が露出した状態となる。また、端子部１０２には、上述の取付用ピン１５１が植立される部位に、ねじ穴１１０が設けられている。
【００５８】
取付用ピン１５１は、金属あるいは合成樹脂で形成される。取付用ピン１５１は、少なくとも、一端である基端側および他端である先端側がねじ部とされている。この実施の形態では、取付用ピン１５１の全体がねじ部とされたものを示している。取付用ピン１５１は、その一端が端子部１０２のねじ穴１１０にねじ込まれることで、当該端子部１０２に植立される。
【００５９】
端子カバー１０６は、金属あるいは合成樹脂で形成される。端子カバー１０６が金属で形成される場合には、端子部１０２の各端子に対向する面にゴム素材が貼着され、絶縁性が確保される。この端子カバー１０６には、取付用ピン１５１を通すための貫通穴１０６ａが設けられている。この端子カバー１０６には、封印時にワイヤを通すための、切り起こし部１０８が形成されている。
【００６０】
図１２（Ａ）は、固定キャップ１５２の構成を示している。固定キャップ１５２は、内部が空洞とされた円錐台形状の筐体１６１を用いて構成されている。この筐体１６１の下面（端子カバー１０６への当接面）の中央には円形の開口部１６２が設けられ、この開口部１６２に取付用ピン１５１の案内部を構成する円筒部材１６３が下面と垂直となるように固定されている。この円筒部材１６３の内面にはねじが切られており、取付用ピン１５１の先端側のねじ部に螺合するねじ穴１６４が構成されている。なお、筐体１６１の下面外部には、ゴム素材１３０が貼着され、絶縁性が確保されている。また、筐体１６１には、封印用穴１６５が設けられている。さらに、筐体１６１の外表面には例えばゴム素材からなる滑り止め部１６６が形成されている。
【００６１】
図１２（Ａ）に示す固定キャップ１５２においては、筐体１６１の下面のねじ穴１６４に取付用ピン１５１の先端を位置させて回すことで、図１２（Ｂ）に示すように、取付用ピン１５１の先端側が固定キャップ１５２のねじ穴１６４に螺合され、当該取付用ピン１５１の先端に固定キャップ１５２が取り付けられた状態となる。なお、固定用キャップ１５２の取り外しは、固定キャップ１５２を、取り付け時とは逆の方向に回して、取付用ピン１５１の先端側との螺合を解除することで行われる。
【００６２】
図１０、図１１に示す電力量計１００Ｃを電線に接続する際には、上述したように端子部１０２を覆っている端子カバー１０６が取り外され（図１１）、その状態で、入力電線および出力電線が対応する端子に接続され、その後に、端子カバー１０６が端子部１０２に取り付けられる（図１０）。
【００６３】
図１３（Ａ）〜（Ｄ）を用いて、電力量計１００Ｃにおける端子カバー１０６の取り付けについて説明する。端子カバー１０６を端子部１０２に取り付ける際には、図１３（Ａ）に示すように、取付用ピン１５１および固定キャップ１５２が使用される。この取付用ピン１５１は、一端側のねじ部が端子部１０２のねじ穴１１０にねじ込まれることで、図１３（Ｂ）に示すように、端子部１０２に植立された状態に置かれる。
【００６４】
端子カバー１０６を端子部１０２に取り付ける際には、図１３（Ｃ）に示すように、端子カバー１０６の貫通穴１０６ａに取付用ピン１５１を通し、その後に、図１３（Ｄ）に示すように、取付用ピン１５１の先端側に固定キャップ１５２を取り付ける。この状態で、固定キャップ１５２が有するねじ穴１６４に取付用ピン１５１の先端側のねじ部が螺合され（図１２（Ｂ））、端子カバー１０６は端子部１０２に固定される。
【００６５】
なお、上述したように端子部１０２に端子カバー１０６が取り付けられた後、図示しないが、この端子カバー１０６の切り起こし部１０８と、固定キャップ１５２に設けられている封印用穴１６５とにワイヤを通して鉛などで封印することで、電力量計１００Ｃの配線変更等を不可能とすることが行われる。
【００６６】
また、端子部１０２に取り付けられた端子カバー１０６を取り外す際には、封印を解いた後、上述した取り付け時とは逆に、取付用ピン１５１から固定キャップ１５２を取り外し、その後に端子カバー１０６を取付用ピン１５１から抜き取ればよい。
【００６７】
図１０、図１１に示す電力量計１００Ｃにおいては、端子部１０２に予め植立されている取付用ピン１５１を端子カバー１０６に設けられている貫通穴１０６ａを通し、その後に、取付用ピン１５１の先端側に固定キャップ１５２を取り付けることで、端子カバー１０６を端子部１０２に取り付けるものである。作業者は、端子カバー１０６を端子部１０２に取り付ける際に、端子カバー１０６に設けられている貫通穴１０６ａを通して、端子部１０２に植立されている取付用ピン１５１を確認できることから、貫通穴１０６ａに取付用ピン１５１を通すという作業を容易に行うことができ、従って、端子カバー１０６を端子部１０２に取り付ける際の作業性を高めることができる、
【００６８】
また、図１０、図１１に示す電力量計１００Ｃおいては、端子カバー１０６を端子部１０２に取り付ける際に、従来のように締め付けねじを用いるものではなく、当該締め付けねじが端子部１０２の充電部の端子１１１〜１１３，１１５〜１１７に誤って接触するというようなことがなく、短絡、地絡、感電等の災害を防止できる。
【００６９】
また、図１０、図１１に示す電力量計１００Ｃにおいては、端子カバー１０６に設けられた貫通穴１０６ａに端子部１０２に植立された取付用ピン１５１を通すという作業の他に、取付用ピン１５１の先端側に固定キャップ１５２を取り付けるという作業が必要になるが、図１、図２に示す電力量計１００Ａと比べて、取付用ピンの構造を簡単にできる。
【００７０】
なお、上述実施の形態においては、端子部１０２に取付用ピンを２本植立する例を示したが、端子部１０２に植立する取付用ピンの本数は、端子カバー１０６を安定して取り付けるために必要とする任意の本数とすればよい。例えば、上述実施の形態は３相の電力量計を示したが、単相の電力量計でそのサイズが３相のものより小さいものであれば、端子部に取り付ける取付用ピンの本数を１本とすることもできる。
【００７１】
また、上述実施の形態においては、この発明を誘導型の電力量計１００Ａ〜１００Ｃに適用したものであるが、この発明は、電子式の電力量計、さらには、ブレーカ、計器用ボックスなど、電気機器の充電部の端子が配置された端子部に端子カバーを取り付ける場合に適用できる。
【産業上の利用可能性】
【００７２】
この発明は、端子カバー取り付け時の短絡、地絡、感電等の災害を防止し、また作業性を高めることができるものであり、例えば、電力量計、ブレーカ等、充電部の端子が配置された端子部に端子カバーを取り付ける電気機器に適用できる。
【図面の簡単な説明】
【００７３】
【図１】第１の実施の形態としての電力量計の構成を示す斜視図である。
【図２】第１の実施の形態としての電力量計の構成を示す分解斜視図である。
【図３】取付用ピンの構成を示す斜視図および側面図である。
【図４】端子カバーの取り付けを説明するための図である。
【図５】第２の実施の形態としての電力量計の構成を示す斜視図である。
【図６】第２の実施の形態としての電力量計の構成を示す分解斜視図である。
【図７】取付用ピンの構成を示す斜視図および側面図である。
【図８】固定キャップの構成を示す一部を截断した側面図である。
【図９】端子カバーの取り付けを説明するための図である。
【図１０】第３の実施の形態としての電力量計の構成を示す斜視図である。
【図１１】第３の実施の形態としての電力量計の構成を示す分解斜視図である。
【図１２】固定キャップの構成を示す一部を截断した側面図である。
【図１３】端子カバーの取り付けを説明するための図である。
【図１４】従来の電力量計の構成を示す斜視図である。
【図１５】従来の電力量計の構成を示す側面図である。
【図１６】従来の電力量計の構成を示す分解斜視図である。
【図１７】従来の電力量計における端子カバーの取り付けを説明するための側面図である。
【符号の説明】
【００７４】
１００Ａ〜１００Ｃ・・・電力量計、１０１・・・本体部、１０２・・・端子部、１０３・・・保護ガラス、１０６・・・端子カバー、１０６ａ・・・貫通穴、１０７・・・取付用ピン、１０７ａ・・・ねじ部、１０７ｃ・・・係止爪、１０８・・・切り起こし部、１０９・・・封印用穴、１１０・・・ねじ穴、１１１〜１１３・・・入力端子、１１５〜１１７・・・出力端子、１２１・・・取付用ピン、１２１ａ・・・ねじ部、１２１ｂ・・・係合溝、１２２・・・固定キャップ、１３２・・・係合爪、１４３・・・操作釦、１５１・・・取付用ピン、１５２・・・固定キャップ、１６４・・・ねじ穴
【図１】
2008111679.tif 000003
【図３】
2008111679.tif 000004
【図４】
2008111679.tif 000005
【図５】
2008111679.tif 000006
【図７】
2008111679.tif 000007
【図９】
2008111679.tif 000008
【図１０】
2008111679.tif 000009
【図１３】
2008111679.tif 000010
【図１４】
2008111679.tif 000011
【図１５】
2008111679.tif 000012
【図１７】
2008111679.tif 000013
【図２】
2008111679.tif 000014
【図６】
2008111679.tif 000015
【図８】
2008111679.tif 000016
【図１１】
2008111679.tif 000017
【図１２】
2008111679.tif 000018
【図１６】
2008111679.tif 000019